【事件の表示】
　国際登録第８３３１４５号に係る国際商標登録出願の拒絶査定に対する審判事件について、次のとおり審決する。
【結論】
　本件審判の請求は、成り立たない。
【理由】
１　本願商標
　本願商標は、別掲１のとおりの構成よりなり、第３類、第５類、第１０類及び第２５類に属する国際登録において指定された商品を指定商品として、２００４年２月１８日に国際登録されたものである。そして、指定商品については、平成１７年６月３日付け手続補正書により、第３類「Ｂｌｅａｃｈｉｎｇ　ｐｒｅｐａｒａｔｉｏｎｓ　ａｎｄ　ｏｔｈｅｒ　ｓｕｂｓｔａｎｃｅｓ　ｆｏｒ　ｌａｕｎｄｒｙ　ｕｓｅ；ｃｌｅａｎｉｎｇ，ｐｏｌｉｓｈｉｎｇ，ｓｃｏｕｒｉｎｇ　ａｎｄ　ａｂｒａｓｉｖｅ　ｐｒｅｐａｒａｔｉｏｎｓ；ｓｏａｐｓ，ｐｅｒｆｕｍｅｒｙ，ｅｓｓｅｎｔｉａｌ　ｏｉｌｓ，ｃｏｓｍｅｔｉｃｓ，ｈａｉｒ　ｌｏｔｉｏｎｓ；ｄｅｎｔｉｆｒｉｃｅｓ；ｏｉｎｔｍｅｎｔｓ，ｎｏｎ−ｍｅｄｉｃａｔｅｄ　ｐｒｅｐａｒａｔｉｏｎｓ　ｆｏｒ　ｔｈｅ　ｃａｒｅ　ｏｆ　ｔｈｅ　ｆｅｅｔ，ｂｏｄｙ　ａｎｄ　ｓｋｉｎ　ａｎｄ　ｆｏｒ　ａｄｏｒｎｍｅｎｔ；ｃｒｅａｍｓ，ｇｅｌｓ，ｌｏｔｉｏｎｓ，ｏｉｌｓ，ｂａｌｓａｍｓ，ｐｏｗｄｅｒｓ，ｔａｌｃｕｍ　ｐｏｗｄｅｒｓ　ａｎｄ　ｓｐｒａｙｓ　ｆｏｒ　ｕｓｅ　ｏｎ　ｔｈｅ　ｆｅｅｔ，ｂｏｄｙ　ａｎｄ　ｓｋｉｎ；ｎｏｎ−ｍｅｄｉｃａｔｅｄ　ｐｒｅｐａｒａｔｉｏｎｓ　ｆｏｒ　ｔｈｅ　ｔｒｅａｔｍｅｎｔ，ｃａｒｅ，ｃｌｅａｎｓｉｎｇ，ｓｏｏｔｈｉｎｇ，ｒｅｖｉｔａｌｉｚｉｎｇ　ａｎｄ　ｒｅｌａｘｉｎｇ　ｏｆ　ｔｈｅ　ｆｅｅｔ，ｂｏｄｙ　ａｎｄ　ｓｋｉｎ；ｎｏｎ−ｍｅｄｉｃａｔｅｄ　ｐｒｅｐａｒａｔｉｏｎｓ　ｆｏｒ　ｔｈｅ　ｂａｔｈ　ｉｎ　ｔｈｅ　ｆｏｒｍ　ｏｆ　ｓａｌｔｓ，ｏｉｌｓ　ａｎｄ　ｓｏａｋｓ；ｓｏａｋｓ　ｉｎ　ｔｈｅ　ｆｏｒｍ　ｏｆ　ｔａｂｌｅｔｓ；ｎｏｎ−ｍｅｄｉｃａｔｅｄ　ｔｏｉｌｅｔ　ｐｒｅｐａｒａｔｉｏｎｓ；ｄｅｏｄｏｒｉｓｉｎｇ　ｃｒｅａｍｓ，ｇｅｌｓ，ｌｏｔｉｏｎｓ，ｐｏｗｅｒｓ，ｔａｌｃｕｍ　ｐｏｗｄｅｒｓ　ａｎｄ　ｓｐｒａｙｓ；ｄｅｏｄｏｒａｎｔｓ　ｉｍｐｒｅｇｎａｔｅｄ　ｉｎｔｏ　ｉｎｓｏｌｅｓ；ｐｅｒｓｐｉｒａｔｉｏｎ　ｄｅｏｄｏｒａｎｔｓ；ｄｅｏｄｏｒａｎｔｓ　ｆｏｒ　ｔｈｅ　ｆｅｅｔ．」、第５類「Ｐｈａｒｍａｃｅｕｔｉｃａｌｓ，ｍｅｄｉｃｉｎａｌ，ｖｅｔｅｒｉｎａｒｙ　ａｎｄ　ｓａｎｉｔａｒｙ　ｐｒｅｐａｒａｔｉｏｎｓ　ａｎｄ　ｐｒｏｄｕｃｔｓ；ｓａｎｉｔａｒｙ　ｐｒｅｐａｒａｔｉｏｎｓ　ｆｏｒ　ｍｅｄｉｃａｌ　ｐｕｒｐｏｓｅｓ；ｄｉｅｔｅｔｉｃ　ｓｕｂｓｔａｎｃｅｓ　ａｄａｐｔｅｄ　ｆｏｒ　ｍｅｄｉｃａｌ　ｕｓｅ，ｆｏｏｄ　ｆｏｒ　ｂａｂｉｅｓ；ｐｈａｒｍａｃｅｕｔｉｃａｌ　ｄｒｕｇｓ；ｍｅｄｉｃｉｎａｌ　ｔｉｎｃｔｕｒｅｓ；ｍｅｄｉｃａｔｅｄ　ｐｒｅｐａｒａｔｉｏｎｓ　ｆｏｒ　ｔｈｅ　ｃａｒｅ　ｏｆ　ｔｈｅ　ｆｅｅｔ，ｂｏｄｙ　ａｎｄ　ｓｋｉｎ；ｍｅｄｉｃａｔｅｄ　ｃｒｅａｍｓ，ｇｅｌｓ，ｌｏｔｉｏｎｓ，ｏｉｌｓ，ｂａｌｓａｍｓ，ｐｏｗｄｅｒｓ，ｔａｌｃｕｍ　ｐｏｗｄｅｒｓ　ａｎｄ　ｓｐｒａｙｓ　ｆｏｒ　ｕｓｅ　ｏｎ　ｔｈｅ　ｆｅｅｔ，ｂｏｄｙ　ａｎｄ　ｓｋｉｎ；ｍｅｄｉｃａｔｅｄ　ｏｒ　ｔｈｅｒａｐｅｕｔｉｃ　ｐｒｅｐａｒａｔｉｏｎｓ　ｆｏｒ　ｔｈｅ　ｔｒｅａｔｍｅｎｔ　ｏｆ　ｔｈｅ　ｆｅｅｔ，ｂｏｄｙ　ａｎｄ　ｓｋｉｎ；ｍｅｄｉｃｉｎａｌ　ａｎｄ　ｔｈｅｒａｐｅｕｔｉｃ　ｐｒｅｐａｒａｔｉｏｎｓ　ａｎｄ　ａｄｄｉｔｉｖｅｓ　ｆｏｒ　ｔｈｅ　ｂａｔｈ　ｉｎ　ｔｈｅ　ｆｏｒｍ　ｏｆ　ｓａｌｔｓ，ｏｉｌｓ　ａｎｄ　ｓｏａｋｓ；ｓｏａｋｓ　ｉｎ　ｔｈｅ　ｆｏｒｍ　ｏｆ　ｔａｂｌｅｔｓ；ｍｅｄｉｃｉｎａｌ　ｌｉｑｕｉｄｓ　ｆｏｒ　ｍａｓｓａｇｉｎｇ；ｍｅｄｉｃａｔｅｄ　ｔｏｉｌｅｔ　ｐｒｅｐａｒａｔｉｏｎｓ；Ａｎｔｈｅｌｏｔｉｃ；ｐｒｅｐａｒａｔｉｏｎｓ　ｆｏｒ　ｃｈｉｌｂｌａｉｎｓ；ｍｅｄｉｃａｔｅｄ　ｏｒ　ｔｈｅｒａｐｅｕｔｉｃ　ｐｒｅｐａｒａｔｉｏｎｓ　ｆｏｒ　ｔｈｅ　ｐｒｅｖｅｎｔｉｏｎ　ｏｆ　ｉｎｆｌａｍｍａｔｉｏｎ　ｏｆ　ｔｈｅ　ｔｏｅｓ　ａｎｄ　ｏｆ　ｔｈｅ　ｔｈｉｃｋｅｎｉｎｇ　ｏｆ　ｓｋｉｎ　ｃａｌｌｕｓｅｓ；ｐｒｅｐａｒａｔｉｏｎｓ　ｆｏｒ　ｃｕｒｉｎｇ　ｉｎｇｒｏｗｎ　ｔｏｅ　ｎａｉｌｓ；ｂｏｄｙ　ｐａｄｓ　ｉｎｃｌｕｄｉｎｇ　ｍｅｄｉｃｉｎｅｓ；ｓｈｏｅ　ｉｎｓｏｌｅｓ　ｉｎｃｌｕｄｉｎｇ　ｍｅｄｉｃｉｎｅｓ；ｍａｔｅｒｉａｌｓ　ｆｏｒ　ｄｒｅｓｓｉｎｇｓ，ｐｌａｓｔｅｒｓ，ｒｉｎｇ−ｓｈａｐｅｄ　ｐｌａｓｔｅｒ，ｒｉｎｇ−ｓｈａｐｅｄ　ｃｕｓｈｉｏｎ　ｆｏｒ　ｆｏｏｔ　ｃｏｒｎ，ａｄｈｅｓｉｖｅ　ｐｌａｓｔｅｒｓ，ｂａｎｄａｇｉｎｇ　ｍａｔｅｒｉａｌｓ，ｂａｎｄａｇｅｓ；ｄｉｓｉｎｆｅｃｔａｎｔ　ｐｒｅｐａｒａｔｉｏｎｓ，ａｎｔｉｓｅｐｔｉｃ　ｐｒｏｄｕｃｔｓ；ａｎｔｉ−ｆｕｎｇａｌ　ｓｕｂｓｔａｎｃｅｓ；ｍａｔｅｒｉａｌｓ　ｉｎｃｌｕｄｉｎｇ　ａｎｔｉｆｕｎｇａｌ　ｓｕｂｓｔａｎｃｅｓ；ｂａｎｄａｇｅｓ　ｆｏｒ　ｗｏｕｎｄｓ；ｂｒｅａｓｔ−ｎｕｒｓｉｎｇ　ｐａｄｓ；ｆｕｎｇｉｃｉｄｅｓ，ｈｅｒｂｉｃｉｄｅｓ．」、第１０類「Ｓｕｒｇｉｃａｌ，ｍｅｄｉｃａｌ，ｏｒｔｈｏｐａｅｄｉｃ，ｏｒｔｈｏｔｉｃ，ｃｈｉｒｏｐｏｄｙ，ｆｏｏｔ　ｃａｒｅ，ｄｅｎｔａｌ　ａｎｄ　ｖｅｔｅｒｉｎａｒｙ　ａｐｐａｒａｔｕｓ　ａｎｄ　ｉｎｓｔｒｕｍｅｎｔｓ；ａｒｔｉｆｉｃｉａｌ　ｌｉｍｂｓ，ｅｙｅｓ　ａｎｄ　ｔｅｅｔｈ；ｍｅａｎｓ　ｆｏｒ　ｆｉｘｉｎｇ　ｏｆ　ａｒｔｉｆｉｃｉａｌ　ｌｉｍｂｓ；ｓｕｔｕｒｅ　ｍａｔｅｒｉａｌｓ；ｉｎｓｔｒｕｍｅｎｔｓ，ｅｑｕｉｐｍｅｎｔ　ａｎｄ　ｍｅａｎｓ　ｆｏｒ　ｈｙｇｉｅｎｅ，ｏｒｔｈｏｐａｅｄｉｃｓ　ａｎｄ　ｆｏｒ　ｔｈｅ　ｔｒｅａｔｍｅｎｔ　ａｎｄ　ｃａｒｅ　ｏｆ　ｔｈｅ　ｆｅｅｔ　ａｎｄ　ｓｋｉｎ；ｃｕｓｈｉｏｎｓ　ｆｏｒ　ｃａｒｅ　ｏｆ　ｔｈｅ　ｆｅｅｔ；ａｉｄｓ　ｆｏｒ　ｔｈｅ　ｃｏｒｒｅｃｔｉｏｎ　ｏｆ　ｔｈｅ　ｆｅｅｔ　ｉｎｃｌｕｄｉｎｇ　ｓｕｐｐｏｒｔｓ　ｆｏｒ　ｔｈｅ　ａｒｃｈ　ｏｆ　ｔｈｅ　ｆｏｏｔ；ｍｅａｎｓ　ｆｏｒ　ｔｈｅ　ｓｅｐａｒａｔｉｏｎ　ａｎｄ　ｔｈｅ　ｓｔｒａｉｇｈｔｅｎｉｎｇ　ｏｆ　ｔｈｅ　ｔｏｅｓ；ｐｒｏｔｅｃｔｉｖｅ　ｍｅａｎｓ　ａｇａｉｎｓｔ　ｔｈｅ　ｈａｒｄｅｎｉｎｇ　ｏｆ　ａｒｅａｓ　ｏｆ　ｓｋｉｎ　ｃａｌｌｕｓｅｓ　ａｎｄ　ｉｎｆｌａｍｍａｔｉｏｎ　ｏｆ　ｔｈｅ　ｔｏｅｓ；ｃｕｓｈｉｏｎｓ　ｆｏｒ　ｈｅｅｌｓ　ｆｏｒ　ｍｅｄｉｃａｌ　ｕｓｅ；ｃｕｓｈｉｏｎｓ　ｏｆ　ｕｎｄｅｒ−ｈｅｅｌｓ　ｆｏｒ　ｍｅｄｉｃａｌ　ｕｓｅ；ｐｒｏｔｅｃｔｉｏｎ　ｆｏｒ　ｍｅｔａｔａｒｓａｌｓ；ｍｅｔａｔａｒｓａｌ　ｃｕｓｈｉｏｎｓ　ｆｏｒ　ｍｅｄｉｃａｌ　ｕｓｅ；ｂｏｏｔ　ｉｎｓｅｒｔｓ　ａｎｄ　ｆｏｏｔ　ｓｕｐｐｏｒｔｓ；ｓｈｏｅ　ｉｎｓｏｌｅｓ　ｆｏｒ　ｍｅｄｉｃａｌ　ｕｓｅ，ｏｒｔｈｏｐａｅｄｉｃ　ｉｎｓｏｌｅｓ，ｄｉｓｐｏｓａｂｌｅ　ｓｈｏｅ−ｉｎｓｏｌｅｓ　ｆｏｒ　ｍｅｄｉｃａｌ　ｕｓｅ，ｄｅｏｄｏｒｉｚｅｄ　ｉｎｓｏｌｅｓ　ｆｏｒ　ｏｒｔｈｏｐａｅｄｉｃ　ｆｏｏｔｗｅａｒ；ｃｏｍｐｒｅｓｓｉｏｎ　ｈｏｓｉｅｒｙ；ｇｒａｄｕａｔｅｄ　ｃｏｍｐｒｅｓｓｉｏｎ　ｈｏｓｉｅｒｙ；ｍｅｄｉｃａｌ　ｓｕｐｐｏｒｔ　ｈｏｓｉｅｒｙ；ｏｒｔｈｏｐａｅｄｉｃ　ａｎｄ　ｔｈｅｒａｐｅｕｔｉｃ　ｈｏｓｉｅｒｙ；ｈｏｓｉｅｒｙ　ｆｏｒ　ｍｅｄｉｃａｌ，ｓｕｒｇｉｃａｌ　ａｎｄ／ｏｒ　ｐｒｏｐｈｙｌａｃｔｉｃ　ｐｕｒｐｏｓｅｓ；ｍｅｄｉｃａｌ　ａｎｄ　ｓｕｒｇｉｃａｌ　ｓｏｃｋｓ；ｓｔｏｃｋｉｎｇｓ　ｆｏｒ　ｖａｒｉｃｏｓｅ　ｖｅｉｎｓ；ｍｅａｎｓ　ｆｏｒ　ｅｘｅｒｃｉｓｉｎｇ　ｔｈｅ　ｆｏｏｔ；ｏｒｔｈｏｐａｅｄｉｃ　ａｒｔｉｃｌｅｓ；ｉｎｓｔｒｕｍｅｎｔｓ　ａｎｄ　ａｐｐａｒａｔｕｓ　ｆｏｒ　ｐｌａｃｉｎｇ　ｂａｎｄａｇｅｓ；ｍｅａｎｓ　ｆｏｒ　ｔｈｅ　ｆｉｘｉｎｇ　ｏｆ　ｆｉｎｇｅｒｓ　ａｎｄ　ｔｏｅｓ；ｅｌａｓｔｉｃ　ｂａｎｄａｇｅｓ　ｆｏｒ　ｊｏｉｎｔｓ，ｅｌａｓｔｉｃ　ｇａｉｔｅｒｓ，ｅｌａｓｔｉｃ　ｋｎｅｅ−ｊｏｉｎｔｓ，ｅｌａｓｔｉｃ　ｂａｎｄａｇｅｓ，ｂａｎｄａｇｅｓ　ｆｏｒ　ｔｈｅ　ｗａｉｓｔ，ｂａｎｄａｇｅｓ　ｆｏｒ　ｏｒｔｈｏｐａｅｄｉｃ　ｐｕｒｐｏｓｅｓ；ｍｅａｎｓ　ｆｏｒ　ｅｘａｍｉｎｉｎｇ　ａｎｄ　ｔａｋｉｎｇ　ｉｍｐｒｅｓｓｉｏｎｓ　ｏｆ　ｔｈｅ　ｆｅｅｔ；ｂｏｄｙ　ｍａｓｓａｇｅｒｓ；ｅｓｔｈｅｔｉｃ　ｍａｓｓａｇｅ　ａｐｐａｒａｔｕｓ　ｆｏｒ　ｉｎｄｕｓｔｒｉａｌ　ｐｕｒｐｏｓｅｓ；ｍｅｄｉｃａｌ　ａｐｐａｒａｔｕｓ　ｆｏｒ　ｍｅｄｉｃａｌ　ｐｕｒｐｏｓｅｓ；ｅｌｅｃｔｒｉｃ　ｍａｓｓａｇｅ　ａｐｐａｒａｔｕｓ　ｆｏｒ　ｈｏｕｓｅｈｏｌｄ　ｕｓｅ；ｍａｓｓａｇｉｎｇ　ｔｏｏｌｓ　ｆｏｒ　ｆｏｏｔ；ｔｈｅｒａｐｅｕｔｉｃ　ａｐｐａｒａｔｕｓ　ａｎｄ　ａｐｐｌｉａｎｃｅｓ　ｆｏｒ　ｍａｓｓａｇｉｎｇ　ａｎｄ／ｏｒ　ｂａｔｈｉｎｇ．」及び第２５類「Ｃｌｏｔｈｉｎｇ，ｆｏｏｔｗｅａｒ；ｆｉｔｔｉｎｇｓ　ｆｏｒ　ｆｏｏｔｗｅａｒ，ｈｙｇｉｅｎｉｃ　ｆｏｏｔｗｅａｒ，ｉｎｃｌｕｄｉｎｇ　ｓｈｏｅｓ，ｓｌｉｐｐｅｒｓ，ｂｏｏｔｓ，ｓａｎｄａｌｓ，ｃｌｏｇｓ；ｌｏｎｇ　ａｎｄ　ｓｈｏｒｔ　ｓｔｏｃｋｉｎｇｓ；ｓｈｏｅ　ｓｏｌｅｓ；ｉｎｓｏｌｅｓ　ｆｏｒ　ｆｏｏｔｗｅａｒ；ｃｕｓｈｉｏｎｅｄ　ｉｎｓｏｌｅｓ　ｆｏｒ　ｆｏｏｔｗｅａｒ；ｈｏｓｉｅｒｙ．」と補正されたものである。
２　原査定において引用した商標
　原査定において、本願の拒絶の理由に引用した商標は以下のとおりである。
　（１）登録第４４８８６６号商標（以下「引用商標１」という。）は、別掲２のとおりの構成よりなり、昭和２８年４月３日に登録出願、第６１類に属する商標登録原簿記載のとおりの商品を指定商品として、昭和２９年７月２９日に設定登録、その後、４回にわたり存続期間の更新登録がされ、さらに、平成１７年９月２１日に第１８類及び第２５類に属する商標登録原簿記載のとおりの指定商品に書換登録されたものである。
　（２）登録第１１７５１６３号商標（以下「引用商標２」という。）は、別掲３のとおりの構成よりなり、昭和４８年５月２日に登録出願、第１３類に属する商標登録原簿記載のとおりの商品を指定商品として、昭和５０年１２月１８日に設定登録、その後、３回にわたり存続期間の更新登録がされ、さらに、平成１９年１月３１日に第３類及び第８類に属する商標登録原簿記載のとおりの指定商品に書換登録されたものである。
　（３）登録第１３９９３６６号商標（以下「引用商標３」という。）は、別掲４のとおりの構成よりなり、昭和４８年５月２日に登録出願、第４類に属する商標登録原簿記載のとおりの商品を指定商品として、昭和５４年１１月３０日に設定登録、その後、２回にわたり存続期間の更新登録がされたものである。
　（４）登録第１４９５７４２号商標（以下「引用商標４」という。）は、別掲５のとおりの構成よりなり、昭和５０年７月２８日に登録出願、第１類に属する商標登録原簿記載のとおりの商品を指定商品として、昭和５７年１月２９日に設定登録、その後、２回にわたり存続期間の更新登録がされ、さらに、平成１５年７月１６日に第５類及び第１０類に属する商標登録原簿記載のとおりの指定商品に書換登録されたものである。
　（５）登録第１４９５７４３号商標（以下「引用商標５」という。）は、別掲６のとおりの構成よりなり、昭和５０年７月２８日に登録出願、第１類に属する商標登録原簿記載のとおりの商品を指定商品として、昭和５７年１月２９日に設定登録、その後、２回にわたり存続期間の更新登録がされ、さらに、平成１５年７月１６日に第５類及び第１０類に属する商標登録原簿記載のとおりの指定商品に書換登録されたものである。
　（６）登録第１４９５７４４号商標（以下「引用商標６」という。）は、別掲７のとおりの構成よりなり、昭和５０年７月２８日に登録出願、第１類に属する商標登録原簿記載のとおりの商品を指定商品として、昭和５７年１月２９日に設定登録、その後、２回にわたり存続期間の更新登録がされ、さらに、平成１５年７月１６日に第５類及び第１０類に属する商標登録原簿記載のとおりの指定商品に書換登録されたものである。
　（７）登録第１７３５７０２号商標（以下「引用商標７」という。）は、「ＳＣＨＯＬＬ」の欧文字を書してなり、昭和５７年２月２７日に登録出願、第２２類に属する商標登録原簿記載のとおりの商品を指定商品として、昭和５９年１２月２０日に設定登録、その後、２回にわたり存続期間の更新登録がされ、さらに、平成１７年２月２日に第２５類に属する商標登録原簿記載のとおりの指定商品に書換登録されたものである。
　（８）登録第１７３５７０３号商標（以下「引用商標８」という。）は、黒色の横長の楕円形の図形中に、白抜き文字で「Ｓｃｈｏｌｌ」の欧文字を書してなり、昭和５７年２月２７日に登録出願、第２２類に属する商標登録原簿記載のとおりの商品を指定商品として、昭和５９年１２月２０日に設定登録、その後、２回にわたり存続期間の更新登録がされ、さらに、平成１７年２月９日に第２５類に属する商標登録原簿記載のとおりの指定商品に書換登録されたものである。
　（９）登録第２３７０７０５号商標（以下「引用商標９」という。）は、別掲８のとおりの構成よりなり、平成元年６月２０日に登録出願、第２２類に属する商標登録原簿記載のとおりの商品を指定商品として、平成４年１月３１日に設定登録、その後、平成１３年１２月４日に存続期間の更新登録がされ、さらに、平成１５年３月２６日に第２１類、第２５類及び第２６類に属する商標登録原簿記載のとおりの指定商品に書換登録されたものである。
　（１０）登録第２３７０７０６号商標（以下「引用商標１０」という。）は、別掲９のとおりの構成よりなり、平成元年６月２０日に登録出願、第２２類に属する商標登録原簿記載のとおりの商品を指定商品として、平成４年１月３１日に設定登録、その後、平成１３年１２月４日に存続期間の更新登録がされ、さらに、平成１５年３月２６日に第２１類、第２５類及び第２６類に属する商標登録原簿記載のとおりの指定商品に書換登録されたものである。
３　当審の判断
　本願商標と引用商標１ないし引用商標６、引用商標９及び引用商標１０（以下、これらをまとめていうときは「引用商標」という。）の類否について判断する。
　本願商標は、前記１に記載のとおりの構成よりなるところ、楕円形模様の図形の中に白抜き文字でデザイン化された「ＤｒＳｃｈｏｌｌ」と思しき文字を配してなるものである。
　そして、その構成中「Ｄｒ」の文字部分は、通常、一般的に「ドクター」と呼び慣わされていることからすると、本願商標は、その構成文字に相応して「ドクターショール」の称呼を生ずるものである。
　他方、引用商標１ないし引用商標３、引用商標９及び引用商標１０は、前記２に記載のとおりの構成よりなるところ、デザイン化された「ＤｒＳｃｈｏｌｌ’ｓ」と思しき文字からは、その構成中「Ｄｒ」の文字部分は、上記と同様であり、その構成文字に相応して「ドクターショールズ」の称呼を生ずるものである。また、その構成中「’ｓ」の部分は、「ＤｒＳｃｈｏｌｌ」に付加され、その所有格を示す「’ｓ」を組み合わせたものと理解され得るものであるから、「ＤｒＳｃｈｏｌｌ」の文字部分が識別力を有する要部として看て取れるものである。そうすると、該「ＤｒＳｃｈｏｌｌ」の文字部分に相応して、「ドクターショール」の称呼をも生ずるものである。
　引用商標４、引用商標５及び引用商標９は、前記２に記載のとおり、「ドクターショール」の文字及び「ドクター・ショール」の文字を含む構成よりなるところ、その構成文字に相応して「ドクターショール」の称呼を生ずるものである。
　引用商標６は、前記２に記載のとおりの構成よりなるところ、デザイン化された「ＤｒＳｃｈｏｌｌ」と思しき文字からは、その構成中「Ｄｒ」の文字部分は、上記と同様であり、その構成文字に相応して「ドクターショール」の称呼を生ずるものである。
　そして、本願商標と引用商標は、いずれも特定の観念を有しない造語よりなるものと認められるから、観念においては比較することができない。
　してみれば、本願商標と引用商標は、外観については差異が認められるとしても、引用商標１ないし引用商標３、引用商標６、引用商標９及び、引用商標１０は、本願商標と同じ「ＤｒＳｃｈｏｌｌ」の文字からなるもの、又は該文字をその構成中に有する近似した商標であり、かつ、両者とも「ドクターショール」の称呼を共通にする類似の商標であって、かつ、指定商品においても同一又は類似のものである。
　したがって、本願商標が商標法第４項第１項第１１号に該当するとして本願を拒絶した原査定は、妥当であって、取り消すことはできない。
　なお、請求人は、審判請求書において、「引用商標を譲り受けるための準備をしているので、その結果が出るまで本件の審理を猶予願いたい。」、さらに、審尋に対する回答書において、「当該登録名義人の表示変更登録申請及び商標権移転登録申請を行いますので、審理の猶予を願いたい。」旨述べているところ、特定の登録名義人に関しては、審判請求時から未だ何等の手続もなされておらず、また、相当の期間が経過した現在においても、何等の状況説明もなされていないから、本件審判の審理を終結するものとする。
　よって、結論のとおり審決する。